(57)【要約】      （修正有）【課題】封緘が解かれた場合に口部が簡単に開いて内容物が紙袋外部へ飛散すること、また封緘状態に第一の折り曲げ部分に内容物が混入することを可及的に防止する紙袋を提供する。 【解決手段】紙袋１の口部に封緘用のフラップ２１が突設され、フラップ２１を紙袋１の表面１１ａに押し付けて口部を封緘する紙袋において、口部１２の先端に隣接して形成され、フラップ２１に貼着されない第一の折り曲げ部分Ｘと、第一の折り曲げ部分Ｘに連接して形成された第二の折り曲げ部分Ｙであって、第一の折り曲げ部分Ｘを紙袋１の表面１１ａ側に折り曲げた後に、紙袋１の表面１１ａ側に折り曲げられる第二の折り曲げ部分Ｙとを具え、第二の折り曲げ部分Ｙを紙袋１の表面１１ａ側に折り曲げる際にフラップ２１を紙袋１の表面１１ａに押し付けて口部を封緘するようにしている。【選択図】図６
0003131107.tif 000002
【実用新案登録請求の範囲】
【請求項１】
紙袋の口部に封緘用のフラップが突設され、前記フラップを前記紙袋の表面に押し付けて前記口部を封緘する紙袋において、
前記口部の先端に隣接して形成され、前記フラップに貼着されない第一の折り曲げ部分と、
該第一の折り曲げ部分に連接して形成された第二の折り曲げ部分であって、前記第一の折り曲げ部分を前記紙袋の表面側に折り曲げた後に、前記紙袋の表面側に折り曲げられる第二の折り曲げ部分とを具え、
前記第二の折り曲げ部分を前記紙袋の表面側に折り曲げる際に前記フラップを前記紙袋の表面に押し付けて前記口部を封緘するようにした紙袋。
【請求項２】
前記紙袋には、前記第一の折り曲げ部分を形成する第一の折り曲げ線が、予め形成されていることを特徴とする請求項１に記載の紙袋。
【請求項３】
前記紙袋には、前記第二の折り曲げ部分を形成する第二の折り曲げ線が、予め形成されていることを特徴とする請求項１に記載の紙袋。
【請求項４】
前記第二の折り曲げ部分と対向する位置の前記フラップには、前記フラップを破断して前記紙袋の口部を開封する開封テープが配設されていることを特徴とする請求項１記載の紙袋。
【請求項５】
前記紙袋の底部が、封緘部材により予め密封封緘されており、前記封緘部材には、該封緘部材を破断して前記紙袋の底部を開封する開封テープが配設されていることを特徴とする請求項１に記載の紙袋。
【考案の詳細な説明】
【技術分野】
【０００１】
この考案は紙袋に関し、特に、口部に形成されたフラップにより当該口部を封緘するようにした紙袋に関する。
【背景技術】
【０００２】
一般に、紙袋では、開口した紙袋本体の口部から内容物を挿入した後、該内容物の漏洩を防止するため、当該口部を封緘する必要がある。  
そこで従来では、図７で示すように口部１２に突設されたフラップ２１に予めホットメルト系接着剤２３を塗布した紙袋４１を使用し、口部１２から内容物Ｒを紙袋４１内に収容した後、図８で示すように、当該口部１２を一回折り曲げるともに、ホットメルト系接着剤２３を加熱溶着させる封緘装置を使用してフラップ２１を紙袋４１の表面１１ａに押し付けホットメルト系接着剤２３を過熱溶着させ、これにより口部１２を封緘するようにしていた。
【０００３】
従来の紙袋４１には、一般に、単層のクラフト紙からなる紙袋だけでなく、２層のクラフト紙からなる多層の紙袋、３層からなる多層のクラフト紙、あるいは内層にポリ袋を配設した多層の紙袋があるが、これらの従来の紙袋４１では、上記した方法により、口部１２を封緘するようにしていた。  
なお、図７及び図８は、従来の紙袋の作用を示す概念断面図であり、特に紙袋４１が２層のクラフト紙からなる紙袋である場合を示す図である。  
なお、フラップ２１は図７及び図８で示すように紙袋本体の裏面１１ｂに接着剤からなる接着層２２を介し口部１２に貼着されている。また、紙袋４１の底部１５は封緘部材である底当て紙１６により予め密封封緘されている。
【０００４】
また、口部１２を封緘した従来の紙袋４１から内容物（例えば飼料）Ｒを取り出すには、エンドユーザーは口部１２の上記折り曲げた部分を刃物で切断して口部１２の折り曲げを解き、次に紙袋４１を持ち上げて移動させ、内容物Ｒを例えばホッパー内に投入していた。
【考案の開示】
【考案が解決しようとする課題】
【０００５】
ところで、上述した従来の紙袋によると、図８で示すように、口部１２を一回折り曲げるとともに、封緘装置を使用してフラップ２１を紙袋４１の表面１１ａに押し付けフラップ２１に塗布されたホットメルト系接着剤２３を過熱溶着させ、これにより口部１２を封緘するようにしていたから、開封状態に簡単に口部１２が開いて内容物Ｒが紙袋外部へ飛散してしまいやすかった。また、封緘状態に折り曲げ部分に内容物Ｒが混入してしまいやすかった。
【０００６】
この考案は、上述した事情に鑑み、封緘が解かれた場合に簡単に口部が開いて内容物が紙袋外部へ飛散すること、また封緘状態に第一の折り曲げ部分に内容物が混入することを可及的に防止する紙袋を提供することを目的とする。
【課題を解決するための手段】
【０００７】
上述した課題を解決するため、この考案の紙袋では、紙袋の口部に封緘用のフラップが突設され、前記フラップを前記紙袋の表面に押し付けて前記口部を封緘する紙袋において、前記口部の先端に隣接して形成され、前記フラップに貼着されない第一の折り曲げ部分と、該第一の折り曲げ部分に連接して形成された第二の折り曲げ部分であって、前記第一の折り曲げ部分を前記紙袋の表面側に折り曲げた後に、前記紙袋の表面側に折り曲げられる第二の折り曲げ部分とを具え、前記第二の折り曲げ部分を前記紙袋の表面側に折り曲げる際に前記フラップを前記紙袋の表面に押し付けて前記口部を封緘するようにしている。
【考案の効果】
【０００８】
この考案の紙袋によると、紙袋の口部に封緘用のフラップが突設され、フラップを紙袋の表面に押し付けて口部を封緘する紙袋において、口部の先端に隣接して形成されフラップに貼着されない第一の折り曲げ部分と、該第一の折り曲げ部分に連接して形成された第二の折り曲げ部分であって第一の折り曲げ部分を紙袋の表面側に折り曲げた後に紙袋の表面側に折り曲げられる第二の折り曲げ部分とを具え、第二の折り曲げ部分を紙袋の表面側に折り曲げる際にフラップを紙袋の表面に押し付けて口部を封緘するようにしたから、従来の紙袋のように、口部を一回折り曲げるとともにフラップを紙袋表面に押し付けて封緘するものに比し、封緘が解かれた場合に簡単に口部が開いて内容物が紙袋外部へ飛散すること、また封緘状態に第一の折り曲げ部分に内容物が混入することを可及的に防止することができる。
【考案を実施するための最良の形態】
【０００９】
以下、この考案に係る紙袋の一実施例を詳述する。  
図１はこの考案に係る紙袋１を示す正面図であり、図２はこの考案に係る紙袋１を示す背面図である。また、図３は図１のＡＡ断面図である。なお、図１乃至後述する図６は、図７及び図８と同一部分を同一符号で示している。
【００１０】
この紙袋１の紙袋本体１１は、クラフト紙による二層の筒状体（チューブ体）から構成されたひだ付き紙袋である。
【００１１】
この紙袋本体１１の一方である口部１２は、ストレートカットされている。  
また、この口部１２には封緘用のフラップ（以下、単に「フラップ」という。）２１が突設されている。このフラップ２１は、紙袋本体１１の裏面１１ｂに、接着剤からなる接着層２２を介し貼着されている。  
また口部１２から突設するフラップ２１の表面には、ホットメルト系接着剤２３が塗布されている。
【００１２】
また、フラップ２１には、図２及び図３で示すように該フラップ２１をその長手方向に沿って破断することができる開封テープ２５が形成されている。この開封テープ２５は、後述する第二の折り曲げ部分Ｙ（図１）と対向する位置のフラップ２１に配設されている。  
なお、開封テープ２５の存在位置を示すため、フラップ２１にはその長手方向に沿って、一対のスリット２１ａ（図２）が形成されている。
【００１３】
また、紙袋本体１１には、図１で示すように、口部１２の先端に隣接して第一の折り曲げ部分Ｘが形成されている。この第一の折り曲げ部分Ｘは口部１２の先端から第一の折り曲げ線Ｋまで帯状に広がっている部分である。また、第一の折り曲げ部Ｘを形成している第一の折り曲げ線Ｋは、予め紙袋の表面１１ａ及び裏面１１ｂに形成されている。また第一の折り曲げ部分Ｘはフラップ２１に貼着されていない。
【００１４】
また、紙袋本体１１には、図１で示すように、第一の折り曲げ部分Ｘに連接して第二の折り曲げ部分Ｙが形成されている。この第二の折り曲げ部分Ｙは、第一の折り曲げ線Ｋから第二の折り曲げ線Ｌまで帯状に広がっている部分である。第二の折り曲げ部Ｙを形成している第二の折り曲げ線Ｌは、予め紙袋の表面１１ａ及び裏面１１ｂに形成されている。  
また、第二の折り曲げ部分Ｙは、後述するように第一の折り曲げ部分Ｘを紙袋１の表面１１ａ側に折り曲げた後に紙袋１の表面１１ａ側に折り曲げられる部分である。
【００１５】
また紙袋１の底部１５は、図３で示すように、二回折り曲げられた後、封緘部材である底当て紙１６により予め密封封緘されている。この底当て紙１６の一部には、当該底当て紙１６をその長手方向に沿って破断して紙袋の底部を開封することができる開封テープ３１が形成されている。
【００１６】
なお、開封テープ３１の存在位置を示すため、底当て紙１６には、その長手方向に沿って一対のスリット１６ａ（図１）が形成されている。  
また、図３から明らかなように、紙袋本体１１の外層１１ｃと内層１１ｄの各上部は所定の間隔で塗布された接着層１１ｅにより互いに接着され、また紙袋本体１１の外層１１ｃと内装１１ｄの各下部は開放を容易にするため互いに接着されない構造となっている。  
また、図３の符号１７、１８は、底当て紙１６を紙袋本体１１の表面１１ａ、裏面１１ｂにそれぞれ強力に貼着するための接着剤からなる接着層である。
【００１７】
次に上述した紙袋１の作用を説明し、併せて構成をより詳細に説明する。  
まず、図３に示す位置から図４で示すように口部１２を大きく拡開させ、次に当該口部１２内に矢印Ｂで示すように、内容物Ｒ、例えば飼料を投入する。  
そして、図５に示すように口部１２の表面１１ａ、裏面１１ｂを重ね合わせた後、第一の折り曲げ部Ｘ（図１）を、紙袋１の表面１１ａ側に第一の折り曲げ線Ｋに沿って折り曲げる。
【００１８】
その後、図６で示すように、第二の折り曲げ部分Ｙ（図１）を、紙袋１の表面１１ａ側に第二の折り曲げ線Ｌに沿って折り曲げるとともに、ホットメルト系接着剤２２を加熱溶着させる封緘装置を使用してフラップ２１を紙袋１の表面１１ａに押し付け、フラップ２１に塗布されたホットメルト系接着剤２３を過熱溶着させて口部１２を封緘する。
【００１９】
このようにこの紙袋１は、紙袋１の口部１２に封緘用のフラップ２１が突設され、フラップ２１を紙袋の表面１１ａに押し付けて口部１２を封緘する紙袋において、口部１２の先端に隣接して形成され、フラップ２１に貼着されない第一の折り曲げ部分Ｘと、該第一の折り曲げ部分Ｘに連接して形成された第二の折り曲げ部分Ｙであって第一の折り曲げ部分Ｘを紙袋１の表面１１ａ側に折り曲げた後に紙袋１の表面１１ａ側に折り曲げられる第二の折り曲げ部分Ｙとを具え、第二の折り曲げ部分Ｙを紙袋１の表面１１ａ側に折り曲げる際にフラップ２１を紙袋１の表面１１ａに押し付けて口部１２を封緘するようにしているため、従来の紙袋４１のように口部１２を一回折り曲げる際にフラップ２１を紙袋表面１１ａに押し付けて封緘するものに比し、封緘が解かれた場合に簡単に口部１２が開いて内容物Ｒが紙袋外部へ飛散すること、また封緘状態に第一の折り曲げ部分に内容物Ｒが混入することを可及的に防止することができる。
【００２０】
また、この紙袋１には、第一の折り曲げ部分Ｘを形成する第一の折り曲げ線Ｋが予め形成されているから、第一の折り曲げ部分Ｘを紙袋本体１１の表面１１ａ側への折り曲げが容易であり、これにより紙袋１の封緘作業を容易にすることができる。
【００２１】
また、この紙袋１には、第二の折り曲げ部分Ｙを形成する第二の折り曲げ線Ｌが予め形成されているから、第二の折り曲げ部分Ｙを紙袋本体１１の表面１１ａ側への折り曲げが容易であり、これにより紙袋１の封緘作業を容易にすることができる。
【００２２】
また、この紙袋では、第二の折り曲げ部分Ｙと対向する位置のフラップ２１には、フラップ２１を破断して紙袋１の口部１２を開封する開封テープ２５を配設しているから、封緘された紙袋１（図６）のフラップ２１に配設された開封テープ２５を、その長手幅方向（図６の紙面と垂直方向）に沿って引っ張り、フラップ２１を破断すると、紙袋１の口部１２を開封することができる。この場合、内容物Ｒである飼料を、開封テープ２５によって開封された口部１２から取り出すことができる。
【００２３】
なお、上記実施例では、フラップ２１に開封テープ２５を配設するようにしたが、この考案は上記実施例に限定されず、フラップ２１は開封テープ２５が配設されたものでなくてもよい。  
なお、別部材としての封緘部材である底当て紙１６に開封テープ３１を配設するようにしたが、この考案の紙袋は上記実施例に限定されず、底当て１６は開封テープ３１を配設していないものであってもよい。また、紙袋１は、底当て紙１６を使用することなく、いわゆる底ばり袋のように、紙袋本体の一端が封緘部材として一方（底部）を密封するものであってであってもよい。
【００２４】
なお、上記実施例では、紙袋１０は二層の多層の紙袋としたが、層の数は上記実施例に限定されることなく、二層以上の多層の紙袋に適用しても良く、また単層の袋であってもよいし、また紙袋の形態もひだ付きのものに限らずひだなしの紙袋に適用しても良いことは勿論である。
【産業上の利用可能性】
【００２５】
以上のように、この考案は、封緘が解かれた場合に簡単に口部が開いて内容物が紙袋外部へ飛散すること、また封緘状態に第一の折り曲げ部分に内容物が混入することを可及的に防止する紙袋として適している。 
【図面の簡単な説明】
【００２６】
【図１】図１はこの考案に係る紙袋の概念正面図。
【図２】図２はこの考案に係る紙袋の概念背面図。
【図３】図３は図１のＡＡ線断面図。
【図４】図４はこの考案に係る紙袋の作用を示す概念断面図。
【図５】図５はこの考案に係る紙袋の作用を示す概念断面図。
【図６】図６はこの考案に係る紙袋の作用を示す概念断面図。
【図７】図７は従来の紙袋の作用を示す概念断面図。
【図８】図８は従来の紙袋の作用を示す概念断面図。
【符号の説明】
【００２７】
１…紙袋
１１ａ…紙袋の表面
１２…口部
１５…底部
１６…封緘部材
２１…フラップ
２５、３１…開封テープ
Ｋ…第一の折り曲げ線
Ｌ…第二の折り曲げ線
Ｘ…第一の折り曲げ部分
Ｙ…第二の折り曲げ部分
【図１】
0003131107.tif 000003
【図２】
0003131107.tif 000004
【図３】
0003131107.tif 000005
【図４】
0003131107.tif 000006
【図５】
0003131107.tif 000007
【図６】
0003131107.tif 000008
【図７】
0003131107.tif 000009
【図８】
0003131107.tif 000010